(57)【要約】【課題】  上蓋から容器の前面に雨水が流れ落ちるのを抑制できる構造で、一人の作業員で上蓋の容器に固定する作業を行え、しかも上面板に降った雨水が容器の後面にのみに排水されるのを防止できる屋外設置型機器を得る。【解決手段】  外に面する筒状の容器に被せて固定する上蓋２を、容器の上側開口部を塞ぐ上面板２ａと、その周囲に一体で下向きに突設して容器の上部に嵌る嵌合筒部２ｂとを備えた構造とする。上面板２ａには、容器の上端と当接する当接部分７ａと、容器１の前面１ａに相当する前端箇所にある当接部分７ａの後端部より上方に隆起した隆起部８ａとを設ける。隆起部８ａには後方に向かって隆起高さが徐々に低くなる傾斜面９を、容器１の前面から見た上面板２ａの後端に至る途中の部分まで設ける。【選択図】    図４
2006317060.tif 000002
【特許請求の範囲】
【請求項１】
外に面する筒状の容器に被せて固定される上蓋が、前記容器の上側開口部を塞ぐ上面板と、その周囲に一体に設けられ下向きに突設されて前記容器の上部に嵌る嵌合筒部とを備えた構造になっている屋外設置型機器であって、
前記上面板には前記容器の上端と当接する当接部分と、前記容器の前面に相当する前端箇所にある前記当接部分の後端部より上方に隆起した隆起部とが設けられ、
前記隆起部には後方に向かって隆起高さが徐々に低くなる傾斜面が、前記容器の前面から見た前記上面板の後端に至る途中の部分まで設けられている屋外設置型機器。
【請求項２】
前記隆起部の横方向の両端と前記傾斜面の横方向の両端とに連設されて前記上面板の後端側に延びる一対の側方隆起部が設けられ、前記傾斜面は前記隆起部及び前記一対の側方隆起部の上端面よりも下に下がっている請求項１に記載の屋外設置型機器。
【請求項３】
前記傾斜面の後端側に向かう長さは、該傾斜面から流れ落ちた雨水の一部が、前面から見た前記容器の側面に沿って流れ落ちるのを許容する長さを有している請求項１または２に記載の屋外設置型機器。
【請求項４】
前記傾斜面は、前記上面板の中心部よりも前方位置で終端している請求項３に記載の屋外設置型機器。
【請求項５】
前記上面板には、上方に向かって隆起する補強リブが設けられている請求項１または２に記載の屋外設置型機器。
【請求項６】
１本の前記補強リブが、前記一対の側方隆起部の間に前記傾斜面を一部分断するように設けられており、前記補強リブは前記上面板の中心位置と前記後端との間で終端している請求項５に記載の屋外設置型機器。
【請求項７】
前記容器が角筒形であり、前記上蓋は上から見た輪郭形状が角形となっている請求項１に記載の屋外設置型機器。
【請求項８】
前記容器が円筒形であり、前記上蓋は上から見た輪郭形状が円形となっている請求項１に記載の屋外設置型機器。
【発明の詳細な説明】
【技術分野】
【０００１】
本発明は、屋外に設置される電気温水器、燃料電池等の自家発電機、キュービクル等の電源設備等のように雨水がかかる屋外設置型機器に関するものである。
【背景技術】
【０００２】
例えば、従来の屋外に設置される屋外設置型機器の一種である角筒形の電気温水器の外観の構造を示すと、図９に示すとおりである。
【０００３】
この角筒形の電気温水器の外観は、縦長で四角筒形をしている外に面する容器１の上側開口部に浅い四角筒形の上蓋２を被せ、この上蓋２を複数のネジ３で容器１に固定した構造になっていた。四角筒形の容器１は、前面１ａと、左右の側面１ｂと、後面とで四角筒状になっていて、上側が開口され、底部が底面で閉じられた構造になっている。このような四角筒形の容器１の中には、図示しないが円筒状の内部容器が１個または複数個収容されていて、この内部容器内の水を内蔵する電気ヒータで加熱して温水を得るようになっている。電気ヒータ等をコントロールして温度を設定したり、温度を表示したりする操作・表示ボックス４が容器１の前面１ａの上側に設置されている。上蓋２は四角形の上面板２ａの周囲に上下寸法が短い四角筒状の嵌合筒部２ｂが下向きに突設された構造になっていて、嵌合筒部２ｂの複数箇所に孔を設け、これら孔にネジ３を通して容器１に固定している。
【０００４】
しかしながら、このような構造の屋外設置型機器である電気温水器では、屋外に設置されていて雨が降りかかると、上蓋２の四角形をなす上面板２ａ上の雨水は上面板２ａが水平構造のため上面板２ａの四方から容器１の周壁に流れ落ちる。上面板２ａには埃等が堆積しているのでこの埃等も一緒に流れ落ち、天気が晴れて乾くと汚れ５が容器１の周壁に付着していく。長年の間にこの汚れが増すと、操作・表示ボックス４等が設けられている容器１の周壁の前面１ａの汚れ５はかなり目立つ存在となり、機器の外観を悪くするために、これを改善したいという要求がある。
【０００５】
なお、本発明で容器１の前面１ａとは、操作・表示ボックス４等が設けられていて容器１の正面となる面であって、機器の使用者や第三者が通る通路等に面するように設置される面である。
【０００６】
この要求を満足する一つの構造として、図１０に示すように、上蓋２の上面板２ａをその前部を高くし、後部を低くするように傾斜させることが考えられる。
【０００７】
しかしながら、このような構造にすると、嵌合筒部２ｂの上下寸法が前部が長く、後部が短くなるテーパ構造となり、上蓋２を容器１に被せた場合、容器１に対する嵌まり寸法が前部で深く、後部で浅くなって前後で異なり、嵌合筒部２ｂの孔６が容器１の孔に合致しなくなる。このため、もう一人の作業員が上蓋２を支えて嵌合筒部２ｂの孔６を容器１の孔に合致させ、この状態でネジ３を嵌合筒部２ｂの孔６から容器１の孔に通して固定する必要が生じて、一人の作業員では作業ができない問題点がある。
【０００８】
また、上蓋２の上面板２ａに、容器１の前面１ａとは反対側の後面側のみに排水を行えるように、上面板２ａの上面から見てＵ字状をなしていてその開いた側を容器１の後面側に向けた溝を設けた電気温水器が提案されている（例えば、特許文献１参照。）。
【特許文献１】特開２００５−１１４２６９号公報
【発明の開示】
【発明が解決しようとする課題】
【０００９】
しかしながら、上蓋２の上面板２ａに、上面板２ａの上面から見てＵ字状をなす溝を設けた電気温水器は、上蓋２を容器１に被せた場合、容器１に対する嵌まり寸法が前部で深く、後部で浅くなって前後で異なる不都合はなくなるが、上面板２ａに降った雨水が容器１の後面にのみに排水されるので、長期間そのような状態が続くと容器１の後面が腐食してしまう問題点がある。また、埃等が堆積して上面板２ａの溝が詰まると、排水効果が得られなくなるだけでなく、雨水が溝に溜まり上面板２ａの腐食を促進する等の問題点がある。
【００１０】
本発明の目的は、上蓋から容器の前面に雨水が流れ落ちるのを抑制できる構造で、一人の作業員で上蓋の容器に固定する作業を行え、しかも上面板に降った雨水が容器の後面にのみに排水されるのを防止できる屋外設置型機器を提供することにある。
【００１１】
本発明の他の目的は、上蓋から容器の前面及び容器の側面前部にも雨水が流れ落ちるのを良好に抑制できる構造で、一人の作業員で上蓋の容器に固定する作業を行え、しかも上面板に降った雨水が容器の後面にのみに排水されるのを防止できる屋外設置型機器を提供することにある。
【００１２】
本発明の他の目的は、上蓋の上部に塵埃等が堆積しても、排水性が低下することのない屋外設置型機器を提供することにある。
【００１３】
本発明の他の目的は、上蓋から容器の側面後部に沿って雨水が流れ落ちるのを許容する屋外設置型機器を提供することにある。
【００１４】
本発明の他の目的は、上蓋の機械的強度を補強できる屋外設置型機器を提供することにある。
【００１５】
本発明の他の目的は、容器が角筒形で、上蓋が上から見て角形のものに本発明を適用できる屋外設置型機器を提供することにある。
【００１６】
本発明の他の目的は、容器が円筒形で、上蓋が上から見て円形のものに本発明を適用できる屋外設置型機器を提供することにある。
【課題を解決するための手段】
【００１７】
上記の目的を達成する本発明の構成を説明すると、下記のとおりである。
【００１８】
本発明は、外に面する筒状の容器に被せて固定される上蓋が、容器の上側開口部を塞ぐ上面板と、その周囲に一体に設けられ下向きに突設されて容器の上部に嵌る嵌合筒部とを備えた構造になっている屋外設置型機器を改良の対象としている。
【００１９】
本発明の屋外設置型機器では、上蓋の上面板に、容器の上端と当接する当接部分と、容器の前面に相当する前端箇所にある当接部分の後端部より上方に隆起した隆起部とを設ける。そして隆起部には、後方に向かって隆起高さが徐々に低くなる傾斜面を設ける。ここで「徐々に低くなる」とは、連続的に隆起高さが低くなる場合と、段階的に隆起高さが低くなる場合の両方を含むものである。また本発明では、傾斜面を、容器の前面から見た上面板の後端に至る途中の部分まで設ける。
【００２０】
このように上蓋の上面板に、容器の上端と当接する当接部分を設けると、この当接部分と上面板の周囲の他の部分とにより上蓋が容器に嵌る深さが制限される。その結果、上蓋を別の作業員が支えていなくても一人の作業員で上蓋の容器に対する固定作業を行うことができる。また、この当接部分の後端部より上方に隆起した隆起部を設け、この隆起部には後方に向かって隆起高さが徐々に低くなる傾斜面を、容器の前面から見た上面板の後端に至る途中の部分まで設けると、上面板に降る雨水は容器の前面側にはほとんど流れず、傾斜面に沿って後方に流れ落ちることになり、容器の前面の雨水による汚れを防止することができる。さらに、この傾斜面を、容器の前面から見た上面板の後端に至る途中の部分まで設けると、上面板に降る雨水は容器の側面後部にも流れるようになって、容器の後面の腐食耐性を向上させることができる。かつまた、上蓋の上面板には、排水のための溝を設けていないので、その溝が埃等で詰まり、排水ができなくなり、上面板の腐食を促進させる等の問題点の発生を回避することができる。
【００２１】
この場合、隆起部の横方向の両端と傾斜面の横方向の両端とに連設して上面板の後端側に延びる一対の側方隆起部を設けてもよい。このような一対の側方隆起部を設けると、上蓋から容器の前面に近い位置にある前方寄りの側面にも雨水が流れ落ちるのを抑制できる。また、傾斜面を隆起部及び一対の側方隆起部の上端面よりも下に下げると、これら隆起部及び一対の側方隆起部の頂部が堰となって、雨水が容器の前面及び前方寄りの側面に流れるのを良好に抑制することができる。
【００２２】
また、傾斜面の後端側に向かう長さを、この傾斜面から流れ落ちた雨水の一部が、前面から見た容器の側面に沿って流れ落ちるのを許容する長さとするのが好ましい。このような長さに設定すると、上蓋から容器の後方よりの側面に沿って雨水が流れ落ちるのを許容することができる。その結果、容器の後面に沿って集中して雨水が流れ落ちることがなくなり、容器の後面の腐食耐性を向上させることができる。
【００２３】
傾斜面の後方端部の終端位置は適宜に定めればよい。実験によると、傾斜面を上面板の中心部よりも前方位置で終端させる構造にしても、容器の前面側から見た容器の外観の汚れは、従来と比べてかなり改善されることが確認された。
【００２４】
また、上面板に、上方に向かって隆起する補強リブを設けると、隆起部を設けた場合でも、上蓋の機械的強度が低下するのを阻止することができる。１本の補強リブを設ける場合には、一対の側方隆起部の間に傾斜面を一部分断するように１本の補強リブ設ける。そしてこの補強リブを上面板の中心位置と後端との間で終端するように設ければよい。このような構造にすると、少ない数の補強リブでも、必要十分な補強効果を得ることができる。
【００２５】
本発明は、容器が角筒形で、上蓋が上から見た輪郭形状が角形となっているものに適用することができるだけでなく、容器が円筒形で、上蓋が上から見た輪郭形状が円形となっているものにも適用することができるのは勿論である。円筒形の容器を用いる場合には、隆起部を上から見たときの隆起部の形状は円弧状となる。隆起部の形状をこのようにすると、上蓋の機械的強度を大幅に低下させることがない。
【発明の効果】
【００２６】
本発明の屋外設置型機器では、上蓋の上面板に、容器の上端と当接する当接部分を設けているので、この当接部分と上面板の周囲の他の部分とにより上蓋が容器に嵌る深さが制限され、該上蓋を別の作業員が支えていなくても一人の作業員で上蓋の容器に対する固定作業を行うことができる。また、この当接部分の後端部より上方に隆起した隆起部を設け、該隆起部には後方に向かって隆起高さが徐々に低くなる傾斜面を、容器の前面から見た上面板の後端に至る途中の部分まで設けているので、上面板に降る雨水は容器の前面側にはほとんど流れず、後方に傾斜面に沿って流れ落ちることになり、容器の前面の雨水による汚れを防止することができる。さらに、この傾斜面を、容器の前面から見た上面板の後端に至る途中の部分まで設けると、上面板に降る雨水は容器の側面後部にも流れるようになって、容器の後面の腐食耐性を向上させることができる。かつまた、上蓋の上面板には、排水のための溝を設けていないので、その溝が埃等で詰まり、排水ができなくなり、上面板の腐食を促進させる等の問題点の発生を回避することができる。
【発明を実施するための最良の形態】
【００２７】
以下、本発明を実施するための最良の形態を図面を参照して詳細に説明する。なお、前述した図９及び図１０と対応する部分には、同一符号を付けて示している。
【００２８】
図１乃至図６は本発明に係る屋外設置型機器の最良の形態の第１例を示したもので、図１は本例の屋外設置型機器で用いる上蓋の平面図、図２は本例で用いる上蓋の正面図、図３は本例で用いる上蓋の後面図、図４は本例で用いる上蓋の側面図、図５は図４の前部拡大図、図６は本例の屋外設置型機器の側面図である。
【００２９】
本例は、四角筒形の屋外設置型機器の一種である四角筒形の屋外設置型電気温水器に適用した例の上蓋２について示している。
【００３０】
本例の上蓋２も、角筒形即ち四角筒形の容器１に被せられる上から見て角形即ち四角形の構造となっている。この四角形の上蓋２も、前述したと同様に、深い四角筒形の容器１の上端１ｕの開口部を塞ぐ四角形の上面板２ａと、その周囲に一体に設けられ下向きに突設されて容器１に嵌る浅い四角筒形の嵌合筒部２ｂとを備えた構造になっている。
【００３１】
本例の上蓋２では、四角形の上面板２ａには容器１の前面１ａに相当する箇所に、容器１の上端１ｕを支える当接部分７ａと、その当接部分７ａの後部より上方に隆起した隆起部８ａとが設けられている。この隆起部８ａは、頂部の両側に傾斜面をもった山形の形状となっている。隆起部８ａの後部には、後方に向かって隆起高さが徐々に低くなる傾斜面９が上面板２ａの後端に至る途中まで設けられている。傾斜面９の後端側に向かう長さは、該傾斜面９から流れ落ちた雨水の一部が、前面１ａから見た容器１の側面１ｂに沿って流れ落ちるのを許容する長さとなっている。本例では、傾斜面９は、上面板２ａの中心部よりも前方位置で終端している。具体的には、傾斜面９は上面板２ａの前方で前後方向の約１／３の部分にわたって設けられている。また、上面板２ａには、隆起部８ａの横方向の両端と傾斜面９の横方向の両端とに連設されて上面板２ａの後端側に延びる一対の側方隆起部８ｂが設けられている。傾斜面９は、隆起部８ａ及び一対の側方隆起部８ｂの上端面よりも下に下がって設けられいる。さらに、上面板２ａには、容器の前面１ａから見て幅方向の中央には、補強リブ１０が打ち出しにより上方に向かって隆起させて１本突設されている。この補強リブ１０は、一対の側方隆起部８ｂの間に傾斜面９を一部分断するように設けられている。また、該補強リブ１０は上面板２の中心位置と前記後端との間で終端している。
【００３２】
このような上蓋２は、図６に示すように容器１に被せる。この際に、この上蓋２は前部側では上面板２ａの当接部分７ａが容器１の上端１ｕに載って支えられ、左右の側部では上面板２ａの当接部分７ｂと上面板２ａの後部側の両側部が容器１の上端１ｕに載って支えられ、後部では上面板２ａの後部が容器１の上端１ｕに載って支えられる。このため上蓋２の嵌合筒部２ｂに設けられている各孔が容器１の上部の対応孔に合致し、その状態に自動的に保持されるので、上蓋２を別の作業員が支えていなくても、一人の作業員で上蓋２の容器１に対する固定作業を行うことができる。
【００３３】
また、当接部分７ａの後端部より上方に隆起した隆起部８ａを設け、該隆起部８ａには後方に向かって隆起高さが徐々に低くなる傾斜面９を、容器１の前面１ａから見た上面板２ａの後端に至る途中の部分まで設けているので、上面板２ａに降る雨水は容器１の前面１ａ側にはほとんど流れず、後方に傾斜面９に沿って流れ落ちることになり、容器１の前面の雨水による汚れを防止することができる。さらに、傾斜面９が、容器１の前面１ａから見た上面板２ａの後端に至る途中の部分まで設けられているので、上面板２ａに降る雨水は容器１の側面１ｂ後部にも流れるようになって、容器１の後面の腐食耐性を向上させることができる。かつまた、上蓋２の上面板２ａには、排水のための溝を設けていないので、その溝が埃等で詰まり、排水ができなくなり、上面板２ａの腐食を促進させる等の問題点の発生を回避することができる。
【００３４】
また、隆起部８ａの横方向の両端と傾斜面９の横方向の両端とに連設して上面板２ａの後端側に延びる一対の側方隆起部８ｂを設けられているので、上蓋２から容器１の側面１ｂ前部に雨水が流れ落ちるのを抑制することができる。また、傾斜面９が隆起部８ａ及び一対の側方隆起部８ｂの上端面よりも下に下がっているので、これら隆起部８ａ及び一対の側方隆起部８ｂの頂部が堰となって、雨水が容器１の前面１ａ及び側面１ｂ前部に流れるのを良好に抑制することができる。
【００３５】
また、傾斜面９の後端側に向かう長さを、該傾斜面９から流れ落ちた雨水の一部が、前面１ａから見た容器１の側面１ｂに沿って流れ落ちるのを許容する長さとなっているので、上蓋２から容器１の側面１ｂ後部に沿って雨水が流れ落ちるのを許容することができる。
【００３６】
また、上面板２ａに、上方に向かって隆起する補強リブ１０を設けているので、上蓋２の機械的強度を補強することができる。
【００３７】
なお、側方隆起部８ｂと傾斜面９は、上面板２ａの後端の直前まで設けることができる。
【００３８】
図７は、本発明に係る屋外設置型機器の最良の形態の第２例を示した上蓋の斜視図である。
【００３９】
この上蓋２は、第１例と違って、隆起部８ｂ，８ｂの頂部と傾斜面９とが面一の高さとなっている。
【００４０】
このような構造でも、第１例とほぼ同様な効果を得ることができる。ただし、この場合には隆起部８ｂ，８ｂの頂部に堰となる部分がなくなるので、前述した堰による効果はなくなる。
【００４１】
図８は、本発明に係る屋外設置型機器の最良の形態の第３例を示した斜視図である。
【００４２】
本例では、容器１が円筒形で、これに伴い上蓋２も上から見た形状が円形となっているものに本発明を適用した例を示したものである。
【００４３】
本例の上蓋２では、上面板２ａには容器１の前面１ａから側部に相当する箇所に、容器１の上端１ｕを支える当接部分７と、その当接部分７より円形の上面板２ａの中心に向かった内側には上方に隆起した円弧状の隆起部８が設けられている。この隆起部８より円形の上面板２ａの中心側には、後方に向かって隆起高さが徐々に低くなる傾斜面９が上面板２ａの後端より前方の部分まで設けられている。傾斜面９は、隆起部８の上端面よりも下に下がって設けられいる。本例では、傾斜面９は上面板２ａの前方で前後方向の約２／３の部分にわたって設けられている。
【００４４】
このような構造でも、第１例とほぼ同様な効果を得ることができる。なお、傾斜面９は、容器１の前面１ａ側では隆起部８の上端面と面一であってもよい。
【００４５】
上記各例の隆起部８，８ａ，８ｂや傾斜面９は、上面板２ａにプレス成形して設けられているが、上面板２ａにこれらを溶接或いは接着等して設けることもできる。
【００４６】
また、補強リブ１０は必要に応じて設ければよい。
【図面の簡単な説明】
【００４７】
【図１】本発明に係る屋外設置型機器の最良の形態の第１例で用いる上蓋の平面図である。
【図２】第１例の上蓋の正面図である。
【図３】第１例の上蓋の後面図である。
【図４】第１例の上蓋の側面図である。
【図５】図４の前部拡大図である。
【図６】第１例の屋外設置型機器の側面図である。
【図７】本発明に係る屋外設置型機器の最良の形態の第２例で用いる上蓋の斜視図である。
【図８】本発明に係る屋外設置型機器の最良の形態の第３例を示した斜視図である。
【図９】従来の屋外設置型機器の斜視図である。
【図１０】従来の屋外設置型機器の上蓋の他の例を示す斜視図である。
【符号の説明】
【００４８】
１  容器
１ａ  前面
１ｂ  側面
１ｕ  上端
２  上蓋
２ａ  上面板
２ｂ  嵌合筒部
３  ネジ
４  操作・表示ボックス
５  汚れ
６  孔
７，７ａ，７ｂ  当接部分
８，８ａ  隆起部
８ｂ  側方隆起部
９  傾斜面
１０  補強リブ
【図１】
2006317060.tif 000003
【図２】
2006317060.tif 000004
【図３】
2006317060.tif 000005
【図４】
2006317060.tif 000006
【図５】
2006317060.tif 000007
【図６】
2006317060.tif 000008
【図７】
2006317060.tif 000009
【図８】
2006317060.tif 000010
【図９】
2006317060.tif 000011
【図１０】
2006317060.tif 000012